(57)【要約】【課題】高効率、低騒音の電動送風機及び電気掃除機を提供する。【解決手段】電動機１５を内包するブラケット１２と、前記電動機１５によって回転駆動されるインペラ１６と、吸気口２４を有するとともに前記インペラ１６を覆うファンケース１８と、前記インペラ１６からの風の一部を外部へ放出する開口２５とを備え、前記開口２５を前記インペラ１６の上方側の前記ファンケース１８に設けたもので、空気はインペラ１６から直線的に外気へと放出されるのではなく、前記インペラ１６の上方側へと流れを転換させられるので、電動送風機１の効率を向上させつつ、騒音も低減できる。【選択図】図１
2005155397.tif 000002
【特許請求の範囲】
【請求項１】
電動機を内包するブラケットと、前記電動機によって回転駆動されるインペラと、吸気口を有するとともに前記インペラを覆うファンケースと、前記インペラからの風の一部を外部へ放出する開口とを備え、前記開口を前記インペラの上方側の前記ファンケースに設けた電動送風機。
【請求項２】
表面に複数の静翼を有し、その隣り合う静翼間にて通路を形成したエアガイドをインペラの外周部に配設し、ファンケースにて覆った請求項１記載の電動送風機。
【請求項３】
開口の総開口面積をＳ１、静翼の端部における流路の総断面積をＳ２としたとき、Ｓ１≦Ｓ２となるように設定した請求項２記載の電動送風機。
【請求項４】
開口の総開口面積をＳ１、静翼の端部における流路の総断面積をＳ２としたとき、Ｓ１＞Ｓ２となるように設定した請求項２記載の電動送風機。
【請求項５】
開口の総開口面積をＳ１、静翼端部とファンケースとの間の流路の総断面積をＳ３としたとき、Ｓ１≦Ｓ３となるように設定した請求項２記載の電動送風機。
【請求項６】
開口の総開口面積をＳ１、静翼端部とファンケースとの間の流路の総断面積をＳ３としたとき、Ｓ１＞Ｓ３となるように設定した請求項２記載の電動送風機。
【請求項７】
開口の総開口面積をＳ１、ブラケットと電動機との間の流路の総断面積をＳ４としたとき、Ｓ１≦Ｓ４となるように設定した請求項１記載の電動送風機。
【請求項８】
開口の総開口面積をＳ１、ブラケットと電動機との間の流路の総断面積をＳ４としたとき、Ｓ１＞Ｓ４となるように設定した請求項１記載の電動送風機。
【請求項９】
ブラケットに、インペラから前記ブラケット内に流入した風を外部へ排気する排気口を備えた請求項１〜８のいずれか１項に記載の電動送風機。
【請求項１０】
開口の総開口面積をＳ１、排気口の総開口面積をＳ５としたとき、Ｓ１≦Ｓ５となるように設定した請求項９記載の電動送風機。
【請求項１１】
開口の総開口面積をＳ１、排気口の総開口面積をＳ５としたとき、Ｓ１＞Ｓ５となるように設定した請求項９記載の電動送風機。
【請求項１２】
開口の総開口面積をＳ１、静翼端部とファンケースとの間の流路の総断面積をＳ３、排気口の総開口面積をＳ５としたときに、Ｓ１≦Ｓ３≦Ｓ５に設定した請求項９記載の電動送風機。
【請求項１３】
開口の総開口面積をＳ１、静翼端部とファンケースとの間の流路の総断面積をＳ３、ブラケットと電動機との間の流路の総断面積をＳ４、排気口の総開口面積をＳ５としたときに、Ｓ１≦Ｓ３≦Ｓ４≦Ｓ５に設定した請求項９記載の電動送風機。
【請求項１４】
開口に対向するように排気ガイドを設けた請求項１〜１３のいずれか１項に記載の電動送風機。
【請求項１５】
請求項１〜１４のいずれか１項に記載の電動送風機を有する電気掃除機。
【請求項１６】
掃除機本体と電動送風機のブラケットの少なくとも一部を覆う防音部とを備え、請求項１４記載の電動送風機を、排気ガイドと前記防音部にて周囲を覆う構成にして前記掃除機本体に搭載した電気掃除機。
【発明の詳細な説明】
【技術分野】
【０００１】
本発明は、電気掃除機等に使用される電動送風機並びに電気掃除機に関するものである。
【背景技術】
【０００２】
最も一般的に用いられている従来の電気掃除機用の電動送風機の構成について、図８を用いて説明する。
【０００３】
２は界磁コア３に界磁巻線（図示せず）を施してなるステータ、５はシャフト６に通された電機子コア７に電機子巻線（図示せず）を施し、整流子９を同軸上に配置してシャフト６の両端に設けられた軸受１０によって回転自在に固定されたロータである。ステータ２及びロータ５は負荷側ブラケット１１、反負荷側ブラケット１２に固定され、前記反負荷側ブラケット１２に一対のカーボンブラシ１３を異形管１４を介して挿入することで電動機１５を形成している。１９は排気口である。
【０００４】
また、電動機１５の出力軸のシャフト６にはインペラ１６が備えられ、インペラ１６の外周部に通風路を形成するエアーガイド１７が配されており、前記エアガイド１７は表面の隣り合う静翼２６間によって構成される複数の流路をもつディフューザ部２０と、流れをエアガイド１７裏面へと導く流れ変更部２１、さらに戻り通路２２により構成される。そして、ファンケース１８がこれらを覆うように取り付けられ電動送風機１となる。２４は吸気口を示している。
【０００５】
２５は、ファンケース１８の外周上に複数設けられた開口で、インペラ１６で増速した空気の一部をそこから直線的に放出し、電動送風機１の効率を高めようとするものである。
【０００６】
上記構成において、電力が供給されると界磁巻線を伝導した電流がカーボンブラシ１３を通って整流子９に伝わり、界磁コア３で発生した磁束と電機子巻線８を通る電流との間で力が発生し、ロータ５が回転する。次にロータ５が回転することにより、ロータ５のシャフト６に固定されたインペラ１６が回転し、インペラ１６内の空気を増速し、増速された空気はエアーガイド１７のディフューザ部２０を通り、減速されて流れ変更部２１へと入り込み、方向を１８０度転換されて、戻り通路２２を通り、電動機１５へと導かれる。そしてその後、ロータ５、ステータ２、カーボンブラシ１３を冷却しながら、反負荷側ブラケット１２の排気口１９より排出される（例えば、特許文献１参照）。
【特許文献１】特開２００１−２７１７９４号公報
【発明の開示】
【発明が解決しようとする課題】
【０００７】
しかしながら、前記従来の構成では、電動送風機１の効率は向上するものの、インペラ１６で増速された空気を開口２５より直線的に排出するので、インペラ１６とエアガイド１７の間で発生する干渉音等の騒音もそのまま放出され、騒音の高いものとなっていた。
【０００８】
また、ファンケース１８に設けた開口２５等で形成される排気面積の大きさを決定するための指針に関する開示はなく、具体性に欠けるものであった。
【０００９】
本発明は、前記従来の課題を解決し、効率が高く、低騒音の電動送風機及び電気掃除機を提供することを目的とするものである。
【課題を解決するための手段】
【００１０】
前記従来の課題を解決するために、本発明の電動送風機は、電動機を内包するブラケットと、前記電動機によって回転駆動されるインペラと、吸気口を有するとともに前記インペラを覆うファンケースと、前記インペラからの風の一部を外部へ放出する開口とを備え、前記開口を前記インペラの上方側の前記ファンケースに設けたもので、空気はインペラから直線的に外気へと放出されるのではなく、前記インペラの上方側へと流れを転換させられるので、電動送風機の効率を向上させつつ、騒音も低減できる。
【発明の効果】
【００１１】
本発明の電動送風機は、送風効率が良く、かつ低騒音なので、それを用いた電気掃除機も吸塵効率が良く、さらに掃除運転時の騒音が極めて低いものとなる。
【発明を実施するための最良の形態】
【００１２】
第１の発明は、電動機を内包するブラケットと、前記電動機によって回転駆動されるインペラと、吸気口を有するとともに前記インペラを覆うファンケースと、前記インペラからの風の一部を外部へ放出する開口とを備え、前記開口を前記インペラの上方側の前記ファンケースに設けたもので、空気はインペラから直線的に外気へと放出されるのではなく、前記インペラの上方側へと流れを転換させられるので、電動送風機の効率を向上させつつ、騒音も低減できる。
【００１３】
第２の発明は、表面に複数の静翼を有し、その隣り合う静翼間にて通路を形成したエアガイドをインペラの外周部に配設し、ファンケースにて覆ったもので、インペラで発生する気流の動圧成分が、前記通路を通過する際に、静圧に変換され、真空度が増すことにより、電動送風機の効率が向上する。また、前記エアガイドの通路と、排気ガイドを連続的につなげることにより、その効果は増大する。
【００１４】
第３の発明は、開口の総開口面積をＳ１、静翼の端部における流路の総断面積をＳ２としたとき、Ｓ１≦Ｓ２となるように設定したもので、エアガイドを通過した排気の一部をファンケースの吸気口形成面より排出し、残りは電動機の冷却に用いられるため、電動送風機の効率を向上させ、騒音を抑制しながら、電動機の冷却を行うことができる。
【００１５】
第４の発明は、開口の総開口面積をＳ１、静翼の端部における流路の総断面積をＳ２としたとき、Ｓ１＞Ｓ２となるように設定したもので、静翼を通過した風のほとんどがファンケースの開口より排出されるので、電動送風機内部を通過する風の圧損を低減でき、電動送風機の効率をさらに向上させることができる。
【００１６】
第５の発明は、開口の総開口面積をＳ１、静翼端部とファンケースとの間の流路の総断面積をＳ３としたとき、Ｓ１≦Ｓ３となるように設定したもので、エアガイドを通過した排気の一部をファンケースの吸気口形成面より排出し、残りは電動機の冷却に用いられるため、電動送風機の効率を向上させ、騒音を抑制しながら、電動機の冷却を行うことができる。
【００１７】
第６の発明は、開口の総開口面積をＳ１、静翼端部とファンケースとの間の流路の総断面積をＳ３としたとき、Ｓ１＞Ｓ３となるように設定したもので、静翼を通過した風のほとんどがファンケースの開口より排出されるので、電動送風機内部を通過する風の圧損を低減でき、電動送風機の効率をさらに向上させることができる。
【００１８】
第７の発明は、開口の総開口面積をＳ１、ブラケットと電動機との間の流路の総断面積をＳ４としたとき、Ｓ１≦Ｓ４となるように設定したもので、エアガイドを通過した排気の一部をファンケースの吸気口を形成した面より排出し、残りは電動機の冷却に用いられるため、電動送風機の効率を向上させ、騒音を抑制しながら、電動機の冷却を行うことができる。
【００１９】
第８の発明は、開口の総開口面積をＳ１、ブラケットと電動機との間の流路の総断面積をＳ４としたとき、Ｓ１＞Ｓ４となるように設定したもので、静翼を通過した風のほとんどがファンケースの開口より排出されるので、電動送風機内部を通過する風の圧損を低減でき、電動送風機の効率をさらに向上させることができる。
【００２０】
第９の発明は、特に、第１〜第８の発明のいずれか１つの発明のブラケットに、インペラから前記ブラケット内に流入した風を外部へ排気する排気口を備えたもので、電動機内部の風の流れがよくなり、電動機の冷却効率が向上するものである。
【００２１】
第１０の発明は、開口の総開口面積をＳ１、排気口の総開口面積をＳ５としたとき、Ｓ１≦Ｓ５となるように設定したもので、エアガイドを通過した排気の一部をファンケースの吸気口形成面より排出し、残りは電動機の冷却に用いられるため、電動送風機の効率を向上させ、騒音を抑制しながら、電動機の冷却を行うことができる。
【００２２】
第１１の発明は、開口の総開口面積をＳ１、排気口の総開口面積をＳ５としたとき、Ｓ１＞Ｓ５となるようにしたもので、静翼を通過した風のほとんどがファンケースの開口より排出されるので、電動送風機内部を通過する風の圧損を低減でき、電動送風機の効率をさらに向上させることができる。
【００２３】
第１２の発明は、開口の総開口面積をＳ１、静翼端部とファンケースとの間の流路の総断面積をＳ３、排気口の総開口面積をＳ５としたときに、Ｓ１≦Ｓ３≦Ｓ５に設定したもので、エアガイドを通過した排気の一部をファンケースの吸気口形成面より排出し、残りは徐々に断面積が拡大す流路内を流れ、電動機の冷却がなされるため、電動送風機の効率をさらに向上させることが可能であるとともに、騒音を抑制しながら、電動機の冷却を行うことができる。
【００２４】
第１３の発明は、開口の総開口面積をＳ１、静翼端部とファンケースとの間の流路の総断面積をＳ３、ブラケットと電動機との間の流路の総断面積をＳ４、排気口の総開口面積をＳ５としたときに、Ｓ１≦Ｓ３ ≦Ｓ４≦Ｓ５に設定したもので、エアガイドを通過した排気の一部をファンケースの吸気口形成面に設けた開口より排出し、残りは徐々に断面積が拡大する流路内を流れ、電動機の冷却がなされるため、電動送風機の効率をさらに向上させることが可能であるとともに、騒音を抑制しながら、電動機の冷却を行うことができる。
【００２５】
第１４の発明は、特に、第１〜１３の発明のいずれか１つの発明の開口に対向する排気ガイドを設けたもので、ファンケースの開口から排出した風を、排気ガイドに沿って効率よく導き出すことができるので、電動送風機の効率をさらに高めることができる。
【００２６】
第１５の発明は、特に、第１〜１４の発明のいずれか１つの発明の電動送風機を有する電気掃除機で、吸込み性能が高く、騒音の低い電気掃除機を提供できる。
【００２７】
第１６の発明は、掃除機本体と電動送風機のブラケットの少なくとも一部を覆う防音部とを備え、請求項１４記載の電動送風機を、排気ガイドと前記防音部にて周囲を覆う構成にして前記掃除機本体に搭載した電気掃除機で、吸込み性能が高く、より騒音の低い電気掃除機を提供できる。
【００２８】
以下、本発明の実施の形態について、図面を参照しながら説明する。なお、この実施の形態によって本発明が限定されるものではない。
【００２９】
（実施の形態１）
図１は、本発明の第１の実施の形態における電動送風機の半断面図で、図２は同電動送風機を吸気口側より見た平面図である。なお、従来例（図８）と同一部分については、同一符号を付してその説明を省略する。
【００３０】
２５は、ファンケース１８の上面すなわち吸気口２４が設けられた面に設けられたスリット上の開口で、エアーガイド１７のディフューザ部２０よりも外周側に位置している。また、開口２５は、隣り合う静翼２６が形成するディフューザ部２０の略延長上に配設され、効率よく排気が放出されるようになっている。ここで、ファンケース１８に設けた開口２５の総面積をＳ１、隣り合う静翼２６の外周端部間で形成される流路の総断面積をＳ２（図２中のＡ寸法と図１中のＢ寸法の積）として、その面積関係を、Ｓ１≦Ｓ２となるように設定されている。また、図中の矢印は、吸気口２４より吸い込まれた空気の流れを示している。
【００３１】
上記の構成において動作を説明すると、電力が供給されると、従来例と同様、ロータ５が回転しインペラ１６で発生した気流が、エアガイド１７のディフューザ部２０を通り、一部はファンケース１８の吸気口２４側の面に設けられた開口２５から、外気へと放出され、残りの空気は、流れ変更部２１、戻り通路２２を経て、電動機１５を流れ、ロータ５、ステータ２、カーボンブラシ１３を冷却し、反負荷側ブラケット１２の排気口１９より排出される。
【００３２】
このとき、ディフューザ部２０を通過した空気は、いくらかの動圧エネルギーを有しており、流れ変更部２１で流れを１８０度転換されると、同部での曲がり損失が増大するが、本実施例では、ファンケース１８に設けられた複数の開口２５が、吸気口２４を設けた面に存在するので、流れが９０度転換するだけで外気に排出されるため、曲がり損失が低減するとともに、電動機１５内部を通過する際の圧損も低減される。よって、電動送風機１の効率が向上する。
【００３３】
また、ファンケース１８の開口２５の総面積Ｓ１とし、隣り合う静翼２６間で形成される流路の総断面積をＳ２としたとき、Ｓ１≦Ｓ２となるように設定しているので、ディフューザ部２０から排出される空気が、高温になりがちな電動機１５側へ流れやすくなり、電動機１５の温度上昇を抑制することができる。
【００３４】
なお、電動機１５の温度上昇がさほど問題にならないのであれば、上記と逆の設定、すなわち、Ｓ１＞Ｓ２となるように設定すると、ディフューザ部２０から排出された空気が、圧損の少ない開口２５から放出されやすくなり、さらに電動送風機の効率を向上させることができる。
【００３５】
（実施の形態２）
図３は、本発明の第２の実施の形態における電動送風機１のファンケース１８を取り除いた状態の平面図、図４は、図３の状態からさらにインペラ１６、エアガイド１７、負荷側ブラケット１１を取り除いた状態の平面図、図５は同電動送風機の半断面図である。なお上記従来例、第１の実施の形態と同一構成部品については同一符号を付して、その説明を省略する。
【００３６】
図３に示すように、ファンケース１８の吸気口２４を形成した面に設けた開口２５の総開口面積をＳ１、静翼２６の端部とファンケース１８との間の流路の総断面積をＳ３（斜線部）としたとき、Ｓ１≦Ｓ３となるように設定されている。
【００３７】
また、開口２５の総開口面積をＳ１とし、図４に示すように反負荷側ブラケット１２と電動機１５との間の流路の総断面積をＳ４としたとき、Ｓ１≦Ｓ４となるように設定されている。
【００３８】
さらに、図５に示すように反負荷側ブラケット１２には、排気口１９が形成され、それらの総開口面積をＳ５としたとき、Ｓ１≦Ｓ５となるように設定されている。
【００３９】
以上の構成により動作を説明すると、電力が供給されると、従来例と同様、ロータ５が回転しインペラ１６で発生した気流が、エアガイド１７のディフューザ部２０を通り、一部はファンケース１８の吸気口２４を設けた面に設けられた開口２５から、外気へと放出され、残りの空気は、流れ変更部２１、戻り通路２２を経て、電動機１５を流れ、ロータ５、ステータ２、カーボンブラシ１３を冷却し、反負荷側ブラケット１２の排気口１９より排出される。このとき、実施の形態１と同じ理由で、電動送風機１の効率が向上する。
【００４０】
また、ファンケース１８の開口２５の総面積Ｓ１とし、静翼２６の端部とファンケース１８との間の流路の総断面積をＳ３とし、Ｓ１≦Ｓ３となるように設定しているので、ディフューザ部２０から排出される空気が、高温になりがちな電動機１５側へ流れやすくなり、電動機１５の温度上昇を抑制することができる。
【００４１】
なお、電動機１５の温度上昇がさほど問題にならないのであれば、上記と逆の設定、すなわち、Ｓ１＞Ｓ３となるように設定すると、ディフューザ部２０から排出された空気が、圧損の少ない開口２５から放出されやすくなり、さらに電動送風機１の効率を向上させることができる。
【００４２】
また、ファンケース１８の開口２５の総面積Ｓ１とし、反負荷側ブラケット１２と電動機１５との間の流路の総断面積をＳ４としたとき、Ｓ１≦Ｓ４となるように設定しているので、ディフューザ部２０から排出される空気が、高温になりがちな電動機１５側へ流れやすくなり、電動機１５の温度上昇を抑制することができる。
【００４３】
なお、電動機１５の温度上昇がさほど問題にならないのであれば、上記と逆の設定、すなわち、Ｓ１＞Ｓ４となるように設定すると、ディフューザ部２０から排出された空気が、圧損の少ない開口２５から放出されやすくなり、さらに電動送風機１の効率を向上させることができる。
【００４４】
また、ファンケース１８の開口２５の総面積をＳ１とし、反負荷側ブラケット１２の排気口１９の総断面積をＳ５としたとき、Ｓ１≦Ｓ５となるように設定しているので、ディフューザ部２０から排出される空気が、高温になりがちな電動機１５側へ流れやすくなり、電動機１５の温度上昇を抑制することができる。
【００４５】
なお、電動機１５の温度上昇がさほど問題にならないのであれば、上記と逆の設定、すなわち、Ｓ１＞Ｓ５となるように設定すると、ディフューザ部２０から排出された空気が、圧損の少ない開口２５から放出されやすくなり、さらに電動送風機の効率を向上させることができる。
【００４６】
また、ファンケース１８の開口２５の総面積をＳ１、静翼２６端部とファンケース１８との間の流路の総断面積をＳ３、反負荷側ブラケット１２の排気口１９の総断面積をＳ５としたとき、その関係をＳ１≦Ｓ３≦Ｓ５となるように設定すれば、排気口１９に向かって順次、開口面積が大きくなるため、高温になりがちな電動機１５側へ風が流れやすくなり、電動機１５の温度上昇をさらに抑制する事ができるようになる。
【００４７】
上記条件に、反負荷側ブラケット１２と電動機１５との間の流路の総断面積Ｓ４を加え、Ｓ１≦Ｓ３≦Ｓ４≦Ｓ５になるように設定すれば、電動機１５内の排気経路中に断面積が途中で絞られるボトルネック部分がなくなるため、一層電動機１５側に空気が流れやすくなり、電動機１５の温度上昇の抑制がさらに容易になるとともに、圧損も減少し、電動送風機１の効率も向上するものである。
【００４８】
（実施の形態３）
図６は、本発明の第３の実施の形態における電動送風機の部分断面図である。なお上記従来例、実施の形態と同一構成部品については同一符号を付してその説明を省略する。
【００４９】
電動送風機１には、ファンケース１８を覆いかつ下流側に開口２５と連通する開口部２７ａを有する排気ガイドとなる電動機カバー２７が配設されている。この電動機カバー２７と、ファンケース１８とで形成される空間の断面は開口２５から電動機カバー２７の開口部２７ａにかけて、徐々に拡大するように構成されている。
【００５０】
上記構成による作用は以下の通りである。
【００５１】
ファンケース１８の外周に配設した電動機カバー２７により、開口２５から排出された気流は、電動機カバー２７に沿って、その開口部２７ａへと流れるが、そのとき、流路は徐々に拡大するため、エアガイド１７のディフューザ部２０と同じ原理で、開口２５から排出されたある程度の動圧を持つ気流は、上記の徐々に拡大される流路の中で、静圧に変換される。その結果、電動送風機１の真空度が増し、効率は向上する。
【００５２】
なお、電動機カバー２７のような排気ガイドは、各開口２５に対して設けた方が圧力変換がよりスムーズになされることは言うまでもなく、また上記電動機カバー２７の内面に、特に図示しないが開口２５ごとの仕切りを設けても同様の効果が得られる。
【００５３】
（実施の形態４）
図７は、本発明の第４の実施の形態における電気掃除機の後部断面図である。なお、上記従来例、実施の形態と同一構成部品については同一符号を付して、その説明を省略する。
【００５４】
図７において、１００は、電気掃除機で、掃除機本体１０１と、その前部にホース（図示せず）、延長管（図示せず）等を介して接続される吸い込み具（図示せず）から構成されている。掃除機本体１０１は、前方に集塵室１０２、後方に電動機室１０３を備え、集塵室１０２には集塵用の紙袋（図示せず）が装着されている。１０９は掃除機本体１０１の後部に設けられ、電動送風機１からの排気を外部へ排出するために排気部である。
【００５５】
また、電動送風機１には、そのファンケース１８の外周に軟質材から形成された防振ゴム前１０５、反負荷側ブラケット１２の後方に同じく軟質材から形成された防振ゴム後１０６がそれぞれ取り付けられ、掃除機本体１０１の電動機室１０３に組み込まれている。１０７は電動送風機１の周囲を取り囲むように配設された筒状の防音板で、通気性のある材料から形成されている。また、防振ゴム前１０５の先端の突起部１０８は前記防音板１０７の端面に覆い被さるように組み立てられている。また、電動送風機１は、上記実施の形態で述べたようにファンケース１８の吸気口２４面側に開口２５が設けられている。また、防振ゴム前１０５は、ちょうどファンケース１８の開口２５が配設されている部分のみ、空洞となっており、その空洞は、防音板１０７内部の空洞に連通する拡大通路となっている。図中の矢印は空気の流れを示している。
【００５６】
以上の構成における動作について説明すると、電力が供給されると、電動送風機１が駆動し、吸い込み具から吸引された空気が掃除機本体１０１の前方から入り、その空気流はエアガイド１７のディフューザ部２０を通過した時点で、ファンケース１８の開口２５へ放出されるものと、そのまま、電動機１５の冷却に使われ、反負荷側ブラケット１２の排気口１９より排出されるものとに分けられ、最終はそれらが再び混合し合って、掃除機本体１０１の排気部１０９より排出される。
【００５７】
このとき、上記実施の形態で述べたように、電動送風機１の効率は大幅に向上しているので、掃除機本体１０１の吸い込み力も当然アップする。また、ファンケース１８に設けられた開口２５は掃除機本体１０１に組み込まれている状態では、掃除機本体１０１の排気部１０９側とは反対の、即ち吸気口２４側に一旦排出されるので、掃除機本体１０１の排気部１０９からの排気とともに出る電動送風機１で発生する騒音を抑えることができる。しかも、開口２５を出た排気は、軟質の防振ゴム前１０５にぶち当たるので、その際にも減衰する。
【００５８】
以上のように本実施の形態によれば、高吸込性能をもち、騒音も抑えた電気掃除機を提供することができる。
【産業上の利用可能性】
【００５９】
以上のように、本発明にかかる電動送風機とそれを用いた電気掃除機は、電動送風機の効率の向上、ならびに電気掃除機の吸込仕事率の向上が図れ、騒音も抑えることができるので、電動送風機を用いた各種家庭用電化機器、産業機器等の用途にも幅広く適用できるものである。
【図面の簡単な説明】
【００６０】
【図１】本発明の実施の形態１における電動送風機の部分断面図
【図２】同電動送風機の平面図
【図３】本発明の実施の形態２における電動送風機のファンケースを除去した平面図
【図４】同電動送風機のファン部、負荷側ブラケットを除去した平面図
【図５】同電動送風機の部分断面図
【図６】本発明の実施の形態３における電動送風機の部分断面図
【図７】本発明の実施の形態４における電気掃除機の後部断面図
【図８】従来の電動送風機を示す半断面図
【符号の説明】
【００６１】
１  電動送風機
２  ステータ
５  ロータ
１１  負荷側ブラケット（ブラケット）
１２  反負荷側ブラケット（ブラケット）
１５  電動機
１６  インペラ
１７  エアガイド
１８  ファンケース
１９  排気口
２０  ディフューザ部
２１  流れ変更部
２２  戻り通路
２４  吸気口
２５  開口
２６  静翼
２７  電動機カバー（排気ガイド）
１００  電気掃除機
１０１  掃除機本体
１０２  集塵室
１０３  電動機室
１０５  防振ゴム前
１０６  防振ゴム後
１０７  防音板
【図１】
2005155397.tif 000003
【図２】
2005155397.tif 000004
【図３】
2005155397.tif 000005
【図４】
2005155397.tif 000006
【図５】
2005155397.tif 000007
【図６】
2005155397.tif 000008
【図７】
2005155397.tif 000009
【図８】
2005155397.tif 000010